(57)【要約】【課題】光ディスクにレーザ光を照射する光ヘッドであって、光ヘッドに配置される構成部材を省略することで軽量化し駆動に必要なエネルギを削減するとともに、位置決め、固定、調整の手間と時間を省略し、長期間にわたって安定したデータ読出し性能を備える光ヘッドを提供する。【解決手段】レーザ光源Ｌｄと、レーザ光源Ｌｄをレーザ光が内部に向かって照射するように配置でき、ハーフミラー部３１及びコリメータレンズ部３３とを備える一体型光学素子３と、対物レンズＬｂと、受光素子Ｐｄとを有している光ヘッドＡ。【選択図】図３
2007172696.tif 000002
【特許請求の範囲】
【請求項１】
レーザ光を出射するレーザ光源と、前記レーザ光を対物レンズに導くための一体型光学素子と、前記レーザ光を光ディスクに照射するための対物レンズと、受光したレーザ光を電気信号に変換する受光素子と、前記対物レンズを保持すると共に、前記光ディスクに正確にレーザ光を照射するように移動させるアクチュエータと、前記レーザ光源、前記一体型光学素子、前記受光素子及び前記アクチュエータが固定されるスライドベースとを有し、前記光ディスクにレーザ光を照射し該光ディスクよりデータを読み出す光ヘッドにおいて、
前記一体型光学素子はガラスを一体的に成形したものであり、直方体の角部を斜めに切断した斜面部と、前記斜面部に対して長手方向に離れて対向している側面部と、前記側面部と直交し、前記斜面部と対向する上面部とを備え、
前記斜面部は前記側面部及び前記上面部と互いに４５°の角度をなすように傾斜し、ハーフミラー部が形成されており、前記側面部は前記レーザ光源が圧入されたレーザホルダを前記レーザ光が前記ハーフミラー部に向けて照射するように配置する光源配置部が形成されており、前記上面部の前記ハーフミラー部と対面する位置に前記レーザ光を平行光に変換するドーム型に突出するコリメータレンズ部が形成され、
前記一体型光学素子の外部に前記ハーフミラー部と対面するとともに、前記コリメータレンズ部と前記ハーフミラー部との延長線上に前記受光素子が配置されていることを特徴とする光ヘッド。
【請求項２】
レーザ光を出射するレーザ光源と、前記レーザ光を対物レンズに導くための一体型光学素子と、前記レーザ光を光ディスクに照射するための対物レンズと、受光したレーザ光を電気信号に変換する受光素子とを有し、前記光ディスクにレーザ光を照射し該光ディスクよりデータを読み出す光ヘッドにおいて、
前記一体型光学素子は、レーザ光を透過する透過媒質で形成されており、ハーフミラー部と、前記レーザ光源を前記レーザ光が前記ハーフミラー部に向けて照射する光源配置部と、レーザ光源より出射されたレーザ光が前記ハーフミラー部で反射して入射する位置に形成され、前記レーザ光を平行光に変換するコリメータレンズ部とが形成され、
前記一体型光学素子の外部で前記コリメータレンズ部と前記ハーフミラー部との延長線上に前記受光素子が配置されていることを特徴とする光ヘッド。
【請求項３】
前記一体型光学素子の前記ハーフミラー部は前記一体型光学素子に形成された斜面部に形成されていることを特徴とする請求項２に記載の光ヘッド。
【請求項４】
前記レーザ光源はレーザホルダに圧入されており、前記レーザホルダを前記一体型光学素子の光源配置部に取付配置されることを特徴とする請求項２又は請求項３に記載の光ヘッド。
【請求項５】
前記コリメータレンズ部は前記一体型光学素子の表面よりドーム型に突出する形状を有していることを特徴とする請求項２から請求項４のいずれかに記載の光ヘッド。
【発明の詳細な説明】
【技術分野】
【０００１】
本発明は、光ディスクにレーザ光を照射し該光ディスクに記録されているデータを読み出したり、該光ディスクに書き込んだりする光ヘッドを組み立てるときに用いられる光ヘッド組立治具に関するものである。
【背景技術】
【０００２】
近年、映像、音声又は情報の記録媒体として光を照射することで記録及び（又は）読出しすることができる光ディスクを用いるものが多く用いられている。前記光ディスクとして、ＣＤ（Compact Disc）、ＤＶＤ（Digital Versatile Disc）等が広く用いられている。これら光ディスクを記録媒体として該光ディスクにデータの記録及び（又は）読出しを行う光ディスク装置は光ディスクの記録面に対しレーザ光を照射し、反射してきた光を検出する光ヘッドを備えている。
【０００３】
図５は従来の光ヘッドの配置図であり、図６は図５に示す光ヘッドの側断面図である。図５に示す光ヘッドはそれには限定されないがここでは、光ディスクに記録されているデータを読出す読出し専用の光ヘッドである。図５に示す光ヘッドＢはＤＰＤ（Differential Phase Detection）トラッキング方式を用いるものであり、レーザ光源Ｌｄと、ハーフミラーＨｍと、コリメータレンズＬｃと、対物レンズＬｂと、受光素子Ｐｄとを有している。
【０００４】
図６に示すように、光ヘッドＢはスライドベース９１と、スライドベース９１に取り付けられるアクチュエータ９２とを有している。スライドベース９１はアクチュエータ９２を配置するためのアクチュエータ取付部９１１と、レーザ光源Ｌｄを取り付けるための光源取付部９１２と、スライドベース９１が摺動するときに摺動ガイドとなるガイド軸と摺動可能に係合するための摺動孔９１３とを備えている。
【０００５】
スライドベース９１には、レーザ光源Ｌｄ、ハーフミラーＨｍ、コリメータレンズＬｃとが配置される。レーザ光源ＬｄはレーザホルダＬｈに圧入固定されるものであり、レーザホルダＬｈをスライドベース９１の光源取付部９１２に取り付けることで、レーザ光源Ｌｄをスライドベース９１に取り付けることができる。レーザホルダＬｈはレーザ光源Ｌｄのレーザ光出射部がスライドベース９１の内側を向くように取り付けられている。
【０００６】
アクチュエータ９２はアクトベース９２１と、対物レンズＬｂを保持するレンズホルダ９２２と、アクトベース９２１に固定される支持部材９２３と、レンズホルダ９２２と支持部材９２３を連結し、レンズホルダ９２２に電力を供給するとともに弾性支持するワイヤーばね９２４とを有している。
【０００７】
レンズホルダ９２２は中央に対物レンズＬｄを保持し、レーザ光が透過するための貫通孔が形成されており、永久磁石９２０に挟まれるように配置されている。レンズホルダ９２２にはレンズホルダ９２２を駆動しレンズホルダ９２２に保持されている対物レンズＬｂと光ディスクＤｓとの距離を調整するフォーカシングコイル（図示省略）と、対物レンズＬｂを光ディスクＤｓの半径方向に移動させるためのトラッキングコイル（図示省略）とを備えている。
【０００８】
レーザ光源Ｌｄより照射されたレーザ光はハーフミラーＨｍに入射する。ハーフミラーＨｍは入射したレーザ光の半分が透過し、残り半分が反射するものであり、ハーフミラーＨｍに入射したレーザ光の一部は反射されてコリメータレンズＬｃに入射する。ハーフミラーＨｍで反射されたレーザ光は発散光であり、コリメータレンズＬｃに入射したレーザ光は平行光として出射され、アクチュエータ９２に取り付けられている対物レンズＬｂに入射する。対物レンズＬｂに入射したレーザ光は集光され光ディスクＤｓの記録面にレーザスポットとして結像する。
【０００９】
光ディスクＤｓに照射され、記録面にレーザスポットとして結像したレーザ光は反射し、対物レンズＬｂを透過することで、平行光として出射し、コリメータレンズＬｃに入射する。コリメータレンズＬｃに入射したレーザ光は所定の焦点距離を有する集束光として出力され、ハーフミラーＨｍに入射する。上述したようにハーフミラーＨｍは入射光の半分を反射、残りの半分を透過するものであり、ハーフミラーＨｍに入射したレーザ光の半分は透過して受光素子Ｐｄに入射する。受光素子Ｐｄは受光したレーザ光を電気信号に変換するものであり、信号の強弱によってデータを読み取るものである。
【００１０】
光ディスクの記録層に形成される凹凸（トラック）は、非常に微細なものであり、この凹凸に正確にレーザ光を集光させて照射しなくてはならない。そのためには、レーザ光の各光学素子への入射又は各光学素子からの出射する位置、角度の精度が高くなくてはならない。
【００１１】
特開２００５−１４１８５３号公報に示す発明では、ハウジングに立上げミラー部と、コリメータレンズ部とが一体に形成されているものが、示されている。この場合、少なくとも、コリメータレンズと立上げミラーの相対的な位置を調整しなくてもよく、それだけ、手間と時間を省くことができる。
【００１２】
また、特開平９−５０６４５号公報に示す発明では、レーザ光源、分岐素子及び光検出器を一体的に成形した樹脂体に封止し、樹脂体の斜面にレーザ光の光路を変換するための光路変換用ミラーを形成しているものを示している。
【特許文献１】特開２００５−１４１８５３号公報
【特許文献２】特開平９−５０６４５号公報
【発明の開示】
【発明が解決しようとする課題】
【００１３】
従来の光ヘッドにおいて、光ディスクのトラックにレーザ光のレーザスポットを正確に結像させるためには光学素子の位置決め精度が高くなくてはならず、組みつけに手間と時間が多くかかる。また、光学素子が配置されるスライドベースには位置決め精度を上げるためのリブ等の支持部や、接着固定のための接着剤が必要であり、構造が複雑で、それだけ、加工に手間がかかる。また、各光学素子間に取付、調整等のために空間が必要になるので、光ヘッドの設計の自由度に限界がある。
【００１４】
また、特開２００５-１４１８５３号公報に記載の発明では、立上げミラー、コリメータレンズの相対位置を決める手間と時間を省くことができるが、ハウジングの形状が複雑であり、また、スライドベースに該ハウジングを配置できるように形成しなくてはならず、構造が複雑になりやすい。
【００１５】
さらに、特開平９−５０６４５号公報に記載の発明では、樹脂体にレーザ光源、分岐素子及び光検出器を封止するので光ピックアップに樹脂体を取り付けるときの手間は省けるが、光学素子を封止するときの作業（相対的な位置、傾角等の調整）が煩雑であり、時間と手間がかかる。
【００１６】
そこで本発明は、光ディスクにレーザ光を照射する光ヘッドであって、光ヘッドに配置される構成部材を省略することで軽量化し駆動に必要なエネルギを削減するとともに、位置決め、固定、調整の手間と時間を省略して、製造コストを削減することを目的とする。
【００１７】
また本発明は、前記光ヘッドはレーザ光を長期間にわたって安定して精度よく光ディスクの記録面に照射し、長期間にわたって安定したデータ読出し性能を有する光ヘッドを提供することを目的とする。
【００１８】
さらに本発明は、前記一体型光学素子を用いることで、前記レーザ光源とハーフミラー、ハーフミラーとコリメータレンズの間に形成される各光学素子を調整したり、取り付けたりするための空間が必要なく、光ヘッドの設計の自由度を高めることができる光ヘッドを提供することを目的とする。
【課題を解決するための手段】
【００１９】
上記目的を達成するために本発明は、レーザ光を出射するレーザ光源と、前記レーザ光を対物レンズに導くための一体型光学素子と、前記レーザ光を光ディスクに照射するための対物レンズと、受光したレーザ光を電気信号に変換する受光素子と、前記対物レンズを保持すると共に、前記光ディスクに正確にレーザ光を照射するように移動させるアクチュエータと、前記レーザ光源、前記一体型光学素子、前記受光素子及び前記アクチュエータが固定されるスライドベースとを有し、前記光ディスクにレーザ光を照射し該光ディスクよりデータを読み出す光ヘッドにおいて、前記一体型光学素子はガラスを一体的に成形したものであり、直方体の角部を斜めに切断した斜面部と、前記斜面部に対して長手方向に離れて対向している側面部と、前記側面部と直交し、前記斜面部と対向する上面部とを備え、前記斜面部は前記側面部及び前記上面部と互いに４５°の角度をなすように傾斜し、ハーフミラー部が形成されており、前記側面部は前記レーザ光源が圧入されたレーザホルダを前記レーザ光が前記ハーフミラー部に向けて照射するように配置する光源配置部が形成されており、前記上面部の前記ハーフミラー部と対面する位置に前記レーザ光を平行光に変換するドーム型に突出するコリメータレンズ部が形成され、前記一体型光学素子の外部に前記ハーフミラー部と対面するとともに、前記コリメータレンズ部と前記ハーフミラー部との延長線上に前記受光素子が配置されていることを特徴とする。
【００２０】
この構成によると、前記ハーフミラー部及び前記コリメータレンズ部を一体に形成することで、ハーフミラー及びコリメータレンズをばらばらに取り付ける場合に比べて、取付リブ、接着剤等を省略することができる。これにより、前記スライドベースの前記一体型光学素子を取り付ける取付部の形状を簡略化することができ、該スライドベースの製造にかかる手間、時間を低減することができる。
【００２１】
また、前記レーザ光源（レーザホルダ）を前記一体型光学素子の前記光源配置部に取り付けるので、前記レーザ光源と前記ハーフミラー部、前記ハーフミラー部と前記コリメータレンズ部とは位置決め作業をしなくても、常に一定の相対的な配置を維持することができるので、位置決めに必要な手間、時間を省略することができるとともに、経時変化によるずれが発生しないので長期にわたって、レーザ光の照射角度を精度よく保つことができる。
【００２２】
これにより、前記光ヘッドはレーザ光を長期間にわたって安定して精度よく光ディスクの記録面に照射することができるので、長期間にわたって安定したデータ読出し性能を有することができる。
【００２３】
さらに、前記一体型光学素子を用いることで、前記レーザ光源とハーフミラー、ハーフミラーとコリメータレンズの間に形成される各光学素子を調整したり、取り付けたりするための空間が必要なく、光ヘッドの設計の自由度を高めることができる。
【００２４】
上記目的を達成するために本発明は、レーザ光を出射するレーザ光源と、前記レーザ光を対物レンズに導くための一体型光学素子と、前記レーザ光を光ディスクに照射するための対物レンズと、受光したレーザ光を電気信号に変換する受光素子とを有し、前記光ディスクにレーザ光を照射し該光ディスクよりデータを読み出す光ヘッドにおいて、前記一体型光学素子は、レーザ光を透過する透過媒質で形成されており、ハーフミラー部と、前記レーザ光源を前記レーザ光が前記ハーフミラー部に向けて照射する光源配置部と、レーザ光源より出射されたレーザ光が前記ハーフミラー部で反射して入射する位置に形成され、前記レーザ光を平行光に変換するコリメータレンズ部とが形成され、前記一体型光学素子の外部で前記コリメータレンズ部と前記ハーフミラー部との延長線上に前記受光素子が配置されていることを特徴とする。
【００２５】
この構成によると、前記ハーフミラー部及び前記コリメータレンズ部を一体に形成することで、ハーフミラー及びコリメータレンズをばらばらに取り付ける場合に比べて、取付リブ、接着剤等を省略することができる。これにより、前記スライドベースの前記一体型光学素子を取り付ける取付部の形状を簡略化することができ、該スライドベースの製造にかかる手間、時間を低減することができる。
【００２６】
また、前記レーザ光源（レーザホルダ）を前記一体型光学素子の前記光源配置部に取り付けるので、前記レーザ光源と前記ハーフミラー部、前記ハーフミラー部と前記コリメータレンズ部とは位置決め作業をしなくても、常に一定の相対的な配置を維持することができるので、位置決めに必要な手間、時間を省略することができるとともに、経時変化によるずれが発生しないので長期にわたって、レーザ光の照射角度を精度よく保つことができる。
【００２７】
これにより、前記光ヘッドはレーザ光を長期間にわたって安定して精度よく光ディスクの記録面に照射することができるので、長期間にわたって安定したデータ読出し性能を有することができる。
【００２８】
さらに、前記一体型光学素子を用いることで、前記レーザ光源とハーフミラー、ハーフミラーとコリメータレンズの間に形成される各光学素子を調整したり、取り付けたりするための空間が必要なく、光ヘッドの設計の自由度を高めることができる。
【００２９】
上記構成において前記一体型光学素子の前記ハーフミラー部は前記一体型光学素子に形成された斜面部に形成されているものであってもよい。ハーフミラー部は直方体のプリズム内に傾斜して配置されるものであってもよい。
【００３０】
上記構成において前記レーザ光源は、レーザホルダに圧入されており、前記レーザホルダを前記一体型光学素子の光源配置部に取付配置されるものであってもよい。
【００３１】
上記構成において前記コリメータレンズ部は、前記一体型光学素子の表面よりドーム型に突出する形状を有していてもよい。
【発明の効果】
【００３２】
本発明によると、光ディスクにレーザ光を照射する光ヘッドであって、光ヘッドに配置される構成部材を省略することで軽量化し駆動に必要なエネルギを削減するとともに、位置決め、固定、調整の手間と時間を省略して、製造コストを削減することができる。
【００３３】
また本発明によると、前記光ヘッドはレーザ光を長期間にわたって安定して精度よく光ディスクの記録面に照射し、長期間にわたって安定したデータ読出し性能を有する光ヘッドを提供することができる。
【００３４】
さらに本発明によると、前記一体型光学素子を用いることで、前記レーザ光源とハーフミラー、ハーフミラーとコリメータレンズの間に形成される各光学素子を調整したり、取り付けたりするための空間が必要なく、光ヘッドの設計の自由度を高めることができる光ヘッドを提供することができる。
【発明を実施するための最良の形態】
【００３５】
以下に本発明の実施形態を図面を参照して説明する。図１は本発明にかかる光ヘッドの配置図であり、図２は図１に示す光ヘッドの側断面図である。図１、２に示す光ヘッドはそれには限定されないがここでは、光ディスクに記録されているデータを読出す読出し専用の光ヘッドである。また、図３は図２に示す光ヘッドに用いられる一体型光学素子の正面図であり、図４は図３に示す一体型光学素子の平面図である。
【００３６】
図１に示す光ヘッドＡは光ディスクＤｓの記録面に単一のレーザスポットを照射し、トラッキングを行う既知のＤＰＤ（Differential Phase Detection）トラッキング方式を採用するものである。光ヘッドＡはレーザ光源Ｌｄと、一体型光学素子３と、対物レンズＬｂと、受光素子Ｐｄとを有している。光ヘッドＡはスライドベース１及びアクチュエータ２を備えており、スライドベース１にはレーザ光源Ｌｄ、一体型光学素子３及び受光素子Ｐｄが取り付けられており、対物レンズＬｂはアクチュエータ２に取り付けられている。スライドベース１はアクチュエータ２を配置するためのアクチュエータ取付部１１と、スライドベース１が摺動するときに摺動ガイドとなるガイド軸と摺動可能に係合するための摺動孔１２とを備えている。
【００３７】
図２に示すように、アクチュエータ２はアクトベース２１と、対物レンズＬｂを保持するレンズホルダ２２と、アクトベース２１に固定され、レンズホルダ２２を支持する支持部材２３と、レンズホルダ２２と支持部材２３を連結し、レンズホルダ２２に電力を供給するとともに弾性支持するワイヤーばね２４とを有している。
【００３８】
アクトベース２１は底部２１１と、底部２１１より突出する突出部２１２と、底部２１１に形成されレンズホルダ２２を非接触に貫通するヨーク２１３と、スライドベース１に形成されたアクチュエータ取付部１１と係合する取付孔２１０とを有している。突出部２１２は対向する位置に２個形成されている。ヨーク２１３は２個の突出部２１２の間に突出部２１２とは直交する方向に対向して２個形成されている。突出部２１２には永久磁石２１４が配置されており、永久磁石２１４より発生する磁界がレンズホルダ２２に作用する。
【００３９】
レンズホルダ２２はレーザ光が透過するための貫通孔２２１が形成されており、貫通孔を挟むようにヨーク２１３が挿入されるヨーク挿入用の孔（図示省略）が形成されている。レンズホルダ２２の貫通孔２２１には対物レンズＬｂが固定されている。レンズホルダ２２にはレンズホルダ２２を駆動しレンズホルダ２２に保持されている対物レンズＬｂと光ディスクＤｓとの距離を調整するフォーカシングコイル（図示省略）と、対物レンズＬｂを光ディスクＤｓの半径方向に移動させるためのトラッキングコイル（図示省略）とを備えている。
【００４０】
レンズホルダ２２はアクトベース２１のヨーク２１３がヨーク挿入用の孔を貫通するように配置される。このようにレンズホルダ２２を配置することで突出部２１２に配置された永久磁石２１４の磁界がレンズホルダ２２に作用する。アクトベース２１には支持部材２３が配置されており、レンズホルダ２２は弾性を有するワイヤーばね２４を介して支持部材２３に支持されている。レンズホルダ２２はアクトベース２１の底部２１１とは接触しないように支持されている。
【００４１】
一体型光学素子３はそれには限定されないが、ここではガラスで形成されるものであり、図３、図４に示すように、直方体の角部を斜めに切断した斜面部３０１と、斜面部３０１に対して長手方向に離れて対向している側面部３０２と、側面部３０２と直行し、斜面部３０１と対向する上面部３０３とを備えた本体部３０を有している。本体部３０の斜面部３０１にはレーザ光の半分を反射し、半分を透過するハーフミラー部３１が、側面部３０２にはレーザ光源Ｌｄを配置するための光源配置部３２が、上面部３０３に一体形成されるコリメータレンズ部３３とを備えている。
【００４２】
図３、図４に示すように、レーザ光源ＬｄはレーザホルダＬｈに圧入されている。レーザ光源Ｌｄが圧入されたレーザホルダＬｈは一体型光学素子３の側面部３０２に形成された光源配置部３２に配置、固定される。レーザホルダＬｈはレーザ光源Ｌｄのレーザ光出射部が一体型光学素子３の内側に向くように、すなわち、ハーフミラー部３１にレーザ光が照射されるように取り付けられる。
【００４３】
また、コリメータレンズ部３３は、ハーフミラー部３１に対面するように配置されている。コリメータレンズ部３３は上面部３０３よりドーム型に盛り上がる形状を有している。ハーフミラー部３１は側面部３０２及び上面部３０３の両方にそれぞれ、４５°の角度をなす平面形状である。
【００４４】
図２に示すように受光素子Ｐｄは一体型光学素子３のハーフミラー部３１に面する位置に配置されるものである。さらに詳しく説明すると、コリメータレンズ部３３とハーフミラー部３１とを結んだ延長線上で、一体型光学素子３の外部に配置される。
【００４５】
光ヘッドＡによる光ディスクへのレーザ光を照射するときの各光学素子の作用は以下のとおりである。レーザ光源Ｌｄより照射されたレーザ光はそれには限らないがここでは、水平方向に照射され、一体型光学素子３内部を通ってハーフミラー部３１に入射する。ハーフミラー部３１に入射したレーザ光のうち半分は透過し、残りの半分は反射する。ハーフミラー部３１で反射されたレーザ光は鉛直上方に向けて出射され、コリメータレンズ部３３に入射する。
【００４６】
コリメータレンズ部３３に入射し、透過したレーザ光は発散光から平行光に変換される。コリメータレンズ部３３より出射したレーザ光はアクチュエータ２に保持された対物レンズＬｂに入射する。対物レンズＬｂはアクチュエータ２にてトラッキング及びフォーカシングされ、対物レンズＬｂより出射されたレーザ光はレーザスポットとして光ディスクＤｓの記録面の所定の位置に精度よく照射される。
【００４７】
光ディスクＤｓに照射されたレーザ光は記録層で反射し、対物レンズＬｂを透過する。対物レンズＬｂを透過したレーザ光は平行光であり、コリメータレンズ部３３より一体型光学素子３に入射する。コリメータレンズ部３３を透過したレーザ光は所定の焦点距離を有する集束光に変換され、ハーフミラー部３１に入射する。ハーフミラー部３１にて入射したレーザ光の半分はレーザ光源Ｌｄ方向に反射される。残り半分は一体型光学素子３の外部に出射され、受光素子Ｐｄに入射する。受光素子Ｐｄは受光したレーザ光を電気信号に変換するものであり、その変換された電気信号の強さによってデータを読み取るものである。
【００４８】
このように、ハーフミラー部３１及びコリメータレンズ部３３を一体に形成することで、ハーフミラー及びコリメータレンズをばらばらに取り付ける場合に比べて、取付リブ、接着剤等を省略することができる。
【００４９】
また、レーザ光源Ｌｄ（レーザホルダＬｈ）を一体型光学素子３の光源配置部３２に取り付けるので、レーザ光源Ｌｄとハーフミラー部３１、ハーフミラー部３１とコリメータレンズ部３３とは位置決め作業をしなくても、常に一定の配置にすることができるので、位置決めに必要な手間、時間を省略することができるとともに、経時変化によるずれが発生しないので長期にわたって、レーザ光の照射角度を精度よく保つことができる。
【００５０】
さらに、一体型光学素子３を用いることで、光学素子を離して取り付ける場合、各光学素子間に空間が必要なく、光ヘッドＡの設計の自由度を高めることができる。
【００５１】
上記実施例ではレーザ光源Ｌｄを一体型光学素子３に取り付けるときに、放熱性、取付作業性等を考慮して、レーザ光源ＬｄをレーザホルダＬｈに圧入した状態で、一体型光学素子３の光源配置部３２に取り付けるものを例に説明しているが、それに限定されるものではなく、放熱性、取付作業性等を確保できる場合、レーザホルダＬｈを省略し、一体型光学素子３の光源配置部３２にレーザ光源Ｌｄを直接配置してもよい。
【００５２】
前記アクチュエータの形状として、ワイヤーばねにてレンズホルダを支持するものを示しているが、それに限定されるものではなく、対物レンズＬｂより出射されるレーザ光を光ディスクＤｓの記録面に正確に照射することができるものを広く採用することができる。
【００５３】
前記一体型光学素子３として、ガラスを一体的に成形することで作製されるものを例示したが、それには限定されるものではなく、ポリカーボネイト樹脂等の透明樹脂を一体成形にて作製するもの、複数の部材を接着して作成するもの等、レーザ光の光路を妨げず、不要な収差、屈折等が発生しない構成のものを広く採用することができる。
【産業上の利用可能性】
【００５４】
本発明の光ディスクローディング装置は、ＤＶＤ、ＣＤ等の光ディスクを記録媒体とする光ディスク装置において適用することができる。
【図面の簡単な説明】
【００５５】
【図１】本発明にかかる光ヘッドの配置図である。
【図２】図１に示す光ヘッドの側断面図である。
【図３】図２に示す光ヘッドに用いられる一体型光学素子の正面図である。
【図４】図３に示す一体型光学素子の平面図である。
【図５】従来の光ヘッドの配置図である。
【図６】図５に示す光ヘッドの側断面図である。
【符号の説明】
【００５６】
Ａ  光ヘッド
Ｌｄ  レーザ光源
Ｌｈ  レーザホルダ
Ｌｂ  対物レンズ
Ｐｄ  受光素子
１  スライドベース
１１  アクチュエータ取付部
１２  摺動孔
２  アクチュエータ
２１  アクトベース
２１０  取付孔
２１１  底部
２１２  突出部
２１３  ヨーク
２１４  永久磁石
２２  レンズホルダ
２２１  貫通孔
２２２  ヨーク挿入用孔
２３  支持部材
２４  ワイヤーばね
３  一体型光学素子
３０  本体部
３１  ハーフミラー部
３２  光源配置部
３３  コリメータレンズ部
【図１】
2007172696.tif 000003
【図２】
2007172696.tif 000004
【図３】
2007172696.tif 000005
【図４】
2007172696.tif 000006
【図５】
2007172696.tif 000007
【図６】
2007172696.tif 000008